(57)【要約】【課題】浴室の壁に取り付けられている棚を、簡単に係脱可能に取り付けることができ、異なる形状や色の棚を自由に取付位置を付け替える。【解決手段】浴室の壁に上下方向に適宜間隔をおいてネジで固定されている棚受け部材９の正面の横幅方向の中央に形成された楔形の係合溝１１内に、棚の背面形成された左右に傾斜面を有するフックを挿入し、位置決めして係脱可能に棚を取り付ける。【選択図】    図２
2004215808.tif 000002
【特許請求の範囲】
【請求項１】
浴室で使用する物を収容する複数の棚を、壁に係脱自在に取り付けた浴室であって、前記複数の棚は少なくとも２種の異なる形状に形成されていることを特徴とする浴室。
【請求項２】
浴室で使用する物を収容する複数の棚を、壁に係脱自在に取り付けた浴室であって、前記複数の棚は少なくとも２種の異なる色が付されていることを特徴とする浴室。
【請求項３】
前記複数の棚は、取付位置を互いに変更可能であることを特徴とする請求項１又は２記載の浴室。
【請求項４】
浴室の壁に棚受け部材を取付け、該棚受け部材に棚を係脱自在に取り付ける棚取付構造であって、係脱自在の取付位置が前記棚受け部材及び棚に対して略中央となるように呼び込み部を備えていることを特徴とする棚取付構造。
【請求項５】
前記棚の側面に手掛け用の孔が形成されていることを特徴とする請求項４記載の棚取付構造。
【発明の詳細な説明】
【０００１】
【発明の属する技術分野】
本発明は、棚を取り付けた浴室及び棚の取付構造に関し、特に、棚を係脱可能に浴室の壁に取り付けた浴室及び係脱可能に棚を浴室に取り付ける取付構造に関する。
【０００２】
【従来の技術】
従来、浴室内の壁に収納棚を取り付ける構成として、浴室の壁部材に一体パネルを接着して、この一体パネルに設けた複数の差込口に複数の収納棚の鈎状部を差し込んで取り付ける構成は公知である（特許文献１参照。）。
【０００３】
さらに、浴室ユニットの壁面パネルに枠状の本体をビスで固定して、この本体に棚部材をビスで固定して取り付ける構成は公知である（特許文献２参照。）。又、浴室の壁面に固定した係止部材に棚の後壁に形成されたスリットに差し込むようにして棚を浴室の壁面に取り付ける構成は公知である（特許文献３参照。）。
【０００４】
【特許文献１】
特開平９−１４０６３５号公報（段落００１５、図１参照）
【特許文献２】
特開２００２−３８７３６号公報（段落００１３、図１、３参照）
【特許文献３】
特開平８−２０６０２３号公報（段落０００８、図６参照）
【０００５】
【発明が解決しようとする課題】
浴室内で使用するシャンプー、石鹸等は、浴室を利用する家族内でも夫々異なる物を利用する事が多く、使用者が夫々使いやすい場所に、棚ごと移動して棚の位置を変更する必要が生じる。しかしながら、従来の浴室内の壁に棚を取り付ける構成は、その取付構造が複雑であり、使用者が簡単に棚の取付位置を変更するようなことはできなかった。
【０００６】
上記特許文献１では、浴室の壁部材に接着した一体パネルを必要とするから、構造的にもコスト的にも改善の余地があるものと考えられる。特許文献２では、壁面パネルにビス止めした枠状の本体に、棚部材をビス止めしなくてはならないから、使用者が入浴に際して簡単に棚を変更するようなことはできない。
【０００７】
又、特許文献３では、使用者が壁面に固定して係止部材に棚の後壁に形成されたスリットを差し込むのは簡単ではなく、特に比較的上の方に手をのばして棚を差し込むのは困難である。
【０００８】
本発明は、入浴している使用者が、浴室の壁に取り付けられている棚を、簡単に取り外して異なる位置に簡単つけ替えすることのできる棚の取付構造を実現することを課題とする。このような取付構造を前提として、異なる形状、構造の棚や、異なる色を付した棚を、使用者の好みで自由に取付け、取り外し、取付位置を変えたりできるようにするものである。
【０００９】
【課題を解決するための手段】
本発明は上記課題を解決するために、浴室で使用する物を収容する複数の棚を、壁に係脱自在に取り付けた浴室であって、前記複数の棚は少なくとも２種の異なる形状に形成されていることを特徴とする浴室を提供する。
【００１０】
本発明は上記課題を解決するために、浴室で使用する物を収容する複数の棚を、壁に係脱自在に取り付けた浴室であって、前記複数の棚は少なくとも２種の異なる色が付されていることを特徴とする浴室を提供する。
【００１１】
前記複数の棚は、取付位置を互いに変更可能である構成としてもよい。
【００１２】
本発明は上記課題を解決するために、浴室の壁に棚受け部材を取付け、該棚受け部材に棚を係脱自在に取り付ける棚取付構造であって、係脱自在の取付位置が前記棚受け部材及び棚に対して略中央となるように呼び込み部を備えていることを特徴とする棚取付構造を提供する。
【００１３】
前記棚の側面に手掛け用の孔が形成されている構成としてもよい。
【００１４】
【発明の実施の形態】
本発明に係る浴室及び浴室内の棚の取付構造の実施の形態を実施例に基づいて図面を参照し、以下に説明する。
【００１５】
図１〜５は、本発明の実施例を示す図である。図１（ａ）、（ｂ）は、浴室内の一部を示しており、この浴室は、浴槽１を有するとともに、浴室の壁２に沿って、カウンター（洗面台）３、水栓４、シャワー５、照明器６、ミラー７等が取り付けられている。そして、この浴室の壁２に、図１（ａ）に示すように、複数の棚８が係脱自在に取り付けられている。
【００１６】
このような棚８を取り付けるために、図１（ｂ）に示すように、複数の棚受け部材９が浴室の壁２に取り付けられている。この実施例では、棚８が、各段に一つ設け、上下３段で３つ取り付けられている。しかしながら、棚８の各段の取付数、段数、配置、棚の形状等については、いろいろな態様があり、図１（ａ）に示す構成に限定されるものではない。
【００１７】
（棚受け部材）
図２は、棚受け部材９の構成を説明する図である。この棚受け部材９は、図２（ａ）〜（ｃ）に示すように、一定の厚みを有する横長の部材から形成されている。図２（ｂ）で正面図を示すように、左右の端部にネジ取付孔１０が形成されており、棚受け部材９を浴室の壁２に当ててネジで固定できるように構成されている。
【００１８】
棚受け部材９の前面（正面）における横幅方向（左右方向）の中央には、図２（ａ）、（ｂ）に示すように、正面から見て全体的に楔形の係合溝１１が形成されている。この係合溝１１は、上下端は開口しており、正面から見て下方に向かうに従ってその幅を徐々に狭くするような左右のテーパ面１２と、このテーパ面１２に連成する左右の垂直面１３とを備えている。左右のテーパ面１２の上端は係合溝１１の上端の開口１４を形成し、左右の垂直面１３の下端は係合溝１１の下端の開口１５を形成している。
【００１９】
この棚受け部材９の係合溝１１は、後述する棚８の係合用フック１６を係入すると、棚８の横幅方向の中心が、棚受け部材９の横幅方向のほぼ中央に位置するように、自動的に位置決めされて係脱自在に取り付けられる「呼び込み部」として形成されている。棚受け部材９は、合成樹脂や金属材で形成され、棚８を取り付けない不使用時には、合成樹脂製の図示しない蓋（キャップ）が嵌められ、不使用時でも見栄えをよくしている。
【００２０】
（棚の構成例）
図３は、棚受け部材９に取り付けられる棚８の構成例である棚１７を説明する図である。この棚１７は、合成樹脂や金属で形成され、全体的にはほぼ四角い容器のような構成である。この棚１７は、図３（ａ）で平面図を示すように、ほぼ長方形の収容部１８を備え、背面には取付部１９が一体的に形成されている。
【００２１】
この棚１７は、図３（ｂ）、（ｃ）に示すように、その前面壁２０は後面壁２１より若干高さが低く形成されている。収容部１８の底壁２２には水抜き孔２３が形成されている。この収容部１８には、シャンプー、リンス等の容器等を収容することができる。
【００２２】
取付部１９は、図３（ｃ）〜（ｅ）に示すように、その外面が下方に向けて湾曲面状に形成されている基部２４と、この基部２４の横幅方向（左右方向）のほぼ中央から下方に伸びるように形成されている係合用のフック１６とから成る。
【００２３】
このフック１６の形状及びその厚みは、棚受け部材９の係合溝１１内にちょうど嵌合できるような構成をしている。即ち、フック１６は、係合溝１１の左右のテーパ面１２に対応する左右の傾斜面２５を有し、この左右の傾斜面２５が連成するフックの下端部２６は、係合溝１１の下端の開口１５に嵌合するように構成されている。
【００２４】
棚１７の左右の側壁２７には、図３（ｃ）に示すように、手掛け用の孔２８が形成されている。又、棚１７の後面壁２１の下部の左右には、壁２に当接し棚１７を水平に支持する当接片２９が形成されている。
【００２５】
（棚の別の構成例）
図４は、棚受け部材９に取り付けられる棚８の別の構成例である棚３０を示す図である。この棚３０は、合成樹脂や金属で形成され、図４（ａ）で平面図を示すように、平面的にはほぼ四角い形状をしており、後面壁３１、ほぼ三角形の左右の側壁３２及び底壁３３から形成されている。前後方向に切断し側方から見た場合の切断面は、図４（ｃ）に示すように、ほぼ三角形状に形成されている。
【００２６】
図４（ａ）、（ｅ）で示すように、棚３０の底壁３３には互いに径の異なる複数の水抜き孔３４が横幅方向に間隔をおいて形成されている。この水抜き孔３４には、石鹸等についた水を抜く水抜き孔として機能すると共に、入浴の際に利用する各種の器具（例．ひげ剃り具）の柄等を挿入して棚３０に保持させることもできる。さらに、棚３０の底壁３３上面には石鹸等が底部にくっついてしまうことを防止する複数の凸部３５が形成されている。
【００２７】
棚３０の後面壁３１には、その上部には取付部１９が一体的に形成されており、その両側には、棚受け部材９に当接し棚３０を水平に支持する２箇所の垂直片３６が設けられている。取付部１９は、図４（ｂ）、（ｄ）に示すように、棚１７と同様に、基部２４と、この基部２４の横幅方向のほぼ中央から下方に伸びるように形成されているフック１６とから成る。
【００２８】
棚３０のフック１６の形状及びその厚みは、棚受け部材９の係合溝１１内にちょうど嵌合できるような構成をしており、その具体的な構成は棚１７のフック１６と同じであるから、その説明は省略する。
【００２９】
（作用）
複数の棚受け部材９は、図１（ｂ）に示すように、浴室の壁２に上下方向に適宜間隔をおいてネジで固定されている。棚受け部材９の正面の横幅方向の中央に形成された係合溝１１内に、棚１７、３０の背面形成されたフック１６を挿入して嵌合させる。
【００３０】
この場合、係合溝１１は上方に拡がり上端の開口１４で開口しており、一方、フック１６は下部は狭くなっているいるから、フック１６の下端部２６を上端の開口１４から係合溝１１内に入れてから下方にずらせば、簡単に係合溝１１の上部開口内に挿入することができる。
【００３１】
さらに、下方にずらせば、フック１６の左右の傾斜面２５は、係合溝１１のテーパ面１２に当接しながら、係合溝１１及びフック１６の横幅方向の夫々の中央が一致する、要するに、棚１７、３０を取付部材に９に係脱自在に取り付ける取付位置が、係合溝１１及びフック１６に対する夫々の横幅方向略中央になるように、自動的に位置決めされて係合される。
【００３２】
このように、使用者は、簡単に、棚１７、３０の取付や取替、或いは棚の取付位置の変更等をすることができ、しかも、棚３０を棚受け部材９に対してその横幅方向の中央部に、きちんと取り付けることができる。
【００３３】
以上、棚８の具体的な構造として異なる形状、構造の二つの棚１７、３０を例に挙げて説明したが、この他、いろいろな形状の棚があることは言うまでもない。又、棚１７、３０の色を、赤色、青色、黄色等、いろいろな色を付したものを用いてもよい。
【００３４】
即ち、図１（ａ）に示すように、同じ形状、構造の棚８を複数段に棚受け部材９を介して壁２に取り付けてもよいし、同じ色の棚を選択的に取り付けてもよい。また、異なる形状、構造の棚１７、３０、３７を図５（ａ）に示すように、選択的に取り付けてもよい。
【００３５】
本発明では、棚受け部材９の係合溝１１に係脱可能に取り付けられるから、異なる形状、構造、用途の棚３０を適宜選択的に取り付けることができる。例えば、石鹸置き用の棚３０は頻繁に利用するからなるべく低い位置に棚受け部材９に係合して設けた方が使用勝手がよい。
【００３６】
又、図５（ｂ）に示すように、２種以上の異なる色の棚３０を適宜選択して取り付けてもよい。例えば、浴室を利用する家族のメンバー夫々の色を決めておき、色々な色の棚３０を係脱自在に棚受け部材９に取り付けて使用することもできる。背の低い子供専用の棚３０は赤色等と予め専用の棚３０を決めておき、その色の棚３０を低い位置の棚受け部材９に取り付けることができる。
【００３７】
以上、本発明に係る浴室及び浴室内の棚の取付構造の実施形態を実施例に基づいて説明したが、本発明は特にこのような実施例に限定されることなく、特許請求の範囲記載の技術的事項の範囲内でいろいろな実施例があることはいうまでもない。
【００３８】
【発明の効果】
本発明は以上の構成であるので、次のような効果が生じる。
（１）本発明は、入浴している使用者が、浴室の壁に取り付けられている棚を、簡単に取り外して異なる位置に簡単つけ替えすることのでき、従って異なる形状、構造の棚や、異なる色を付した棚を、使用者の好みで自由に取付け、取り外し、取付位置を変えたりすることできる。
【００３９】
（２）さらに、具体的には、棚を容易に取り外しできるから、上方の棚に収納している物（シャンプー等の物）でも、洗い場で使用する時には、棚ごと取り外し、座ったまま使用できるようにカウンター（洗面台）の上に置いたり、足下に置いたり、或いは上段と下段を入れ替えたりと、使用勝手に応じて自由に移動することができる。
【００４０】
（３）棚の色を異なる色を付して多色化することにより、一目で家族の誰が使用している棚なのかを判別する事ができる。更に、石鹸等を入れる比較的底の浅い棚も共通の形状のフックで棚受け部材に係脱できるから、使用者が立って使用したいときには上方の位置に、座って使用したいときには下方の位置に、棚ごとその取付位置を変えることができる。
【図面の簡単な説明】
【図１】
本発明の実施例を説明する図であり、浴室及び棚の取付構造の全体構成を説明
する図であり、（ａ）は棚を取り付けた状態を示し、（ｂ）は棚の取付前の状態
を示す。
【図２】
本発明の実施例における棚を取り付けるための棚受け部材を示し、（ａ）は平
面図、（ｂ）は正面図、（ｃ）は側面図を夫々示す。
【図３】
本発明の実施例における棚の一例を示し、（ａ）は平面図、（ｂ）は正面図、
（ｃ）は側面図、（ｄ）は背面図、（ｅ）は要部拡大図を夫々示す。
【図４】
本発明の実施例における棚の別例を示し、（ａ）は平面図、（ｂ）は正面図、
（ｃ）は側面図、（ｄ）は背面図、（ｅ）は要部拡大図を夫々示す。
【図５】
本発明の実施例における、色々な種類の棚を取り付ける場合等の使用の態様を
説明する図であり、（ａ）は形状、構造の異なる棚を棚を取り付けた状態を示し
、（ｂ）は色の異なる棚取付た状態を示す図であり、（ｃ）は棚ごと取付位置を
変更する状態を夫々示す。
【符号の説明】
１  浴槽
２  浴室の壁
３  カウンター（洗面台）
４  水栓
５  シャワー
６  照明器
７  ミラー
８  棚
９  棚受け部材
１０  ネジ取付孔
１１  係合溝
１２  係合溝の左右のテーパ面
１３  係合溝の左右垂直面
１４  係合溝の上端の開口
１５  係合溝の下端の開口
１６  棚の係合用フック
１７、３０、３７  棚
１８  収容部
１９  棚の取付部
２０  棚の前面壁
２１、３１  棚の後面壁
２２、３３  棚の底壁
２３、３４  水抜き孔
２４  取付部の基部
２５  フックの左右の傾斜面
２６  フックの下端部
２７、３２  棚の左右の側壁
２８  棚の手掛け用の孔
２９  棚の当接片
３５  棚の底壁の凸部
３６  棚の垂直片
【図１】
2004215808.tif 000003
【図２】
2004215808.tif 000004
【図３】
2004215808.tif 000005
【図４】
2004215808.tif 000006
【図５】
2004215808.tif 000007